Podtech/llm-jp-corpus-v4-ja_patent huggingface dataset:
【手続補正書】
【提出日】平成19年6月7日(2007.6.7)
【手続補正１】
【補正対象書類名】特許請求の範囲
【補正対象項目名】全文
【補正方法】変更
【補正の内容】
【特許請求の範囲】
【請求項１】
無線通信ネットワークにおけるノードの直交周波数分割多重（ＯＦＤＭ）モデムにおける同期ポイントを決定するための方法であって、前記同期ポイントは、飛行時間（ＴＯＦ）測定のために使用されるものであり、前記方法は、
前記ノードによるフレームの受信を検出すること、
前記受信されたフレームの受信時間を前記ノードにおいて記憶されている波形と相互相関させて、前記同期ポイントを決定すること、
を備える方法。
【請求項２】
請求項１に記載の方法において、前記相互相関を実行して、前記ノードにおけるカウンターに対して前記同期ポイントを決定する、方法。
【請求項３】
請求項１に記載の方法において、前記ノードは無線ノードであり、前記ネットワークは、アドホック・マルチホッピング・ピア・ツゥ・ピア通信ネットワークである、方法。
【請求項４】
請求項３に記載の方法において、前記ノードは移動ノードである、方法。
【請求項５】
請求項１に記載の方法であって、さらに、
前記決定された同期ポイントを用いて、ＴＯＦ測定を実行すること、
を備える方法。
【請求項６】
請求項５に記載の方法において、前記ＴＯＦ測定を実行するステップは、前記受信されたフレームの前記同期ポイントに対してカウントするように、カウンターを動作させることを含む、方法。
【請求項７】
請求項５に記載の方法において、前記ＴＯＦ測定を実行するステップは、前記ノードによる別のノードへのフレームの送信に対してカウントするように、カウンターを動作させることを含む、方法。
【請求項８】
請求項５に記載の方法において、前記ＴＯＦ測定を実行するステップは、前記決定された同期ポイントに基づいて、前記ノードによるフレームの受信から、前記ノードによる応答フレームの送信までの時間間隔をカウントするように、前記ノードにおけるカウンターを動作させることを含む、方法。
【請求項９】
請求項８に記載の方法であって、さらに、
前記ノードによって受信された複数のフレームにおけるパイロット・トーンの線形周波数シフトに従って計算された遅延によって前記カウントされた時間間隔を修正すること、を備える方法。
【請求項１０】
請求項１に記載の方法において、
前記検出するステップは、前記ノードによって複数のフレームの各々を検出することを含み、
前記相互相関させるステップは、各受信されたフレームの各受信時間を前記ノードにおいて記憶されている各波形と相互相関させて、各フレームの各同期ポイントを決定することを含む、方法。
【請求項１１】
無線通信ネットワークにおけるノードの直交周波数分割多重（ＯＦＤＭ）モデムにおける同期ポイントを決定するためのシステムであって、前記同期ポイントは、飛行時間（ＴＯＦ）測定のために使用されるものであり、前記システムは、
前記ノードによるフレームの受信を検出するように構成され、さらに、前記受信されたフレームの受信時間を前記ノードにおいて記憶されている波形と相互相関させて、前記同期ポイントを決定するように構成されているコントローラ、
を備えるシステム。
【請求項１２】
請求項１１に記載のシステムにおいて、前記コントローラは、前記相互相関を実行して、前記ノードにおけるカウンターに対して前記同期ポイントを決定するように構成されている、システム。
【請求項１３】
請求項１１に記載のシステムにおいて、前記コントローラは、無線ノードである前記ノード内に存在し、前記ネットワークは、アドホック・マルチホッピング・ピア・ツゥ・ピア通信ネットワークである、システム。
【請求項１４】
請求項１３に記載のシステムにおいて、前記ノードは移動ノードである、システム。
【請求項１５】
請求項１１に記載のシステムにおいて、前記コントローラは、さらに、前記決定された同期ポイントを用いて、ＴＯＦ測定を実行するように前記ノードを制御するように構成されている、システム。
【請求項１６】
請求項１５に記載のシステムにおいて、前記コントローラは、前記受信されたフレームの前記同期ポイントに対してカウントするように、カウンターを動作させることによって、前記ＴＯＦ測定を実行するように構成されている、システム。
【請求項１７】
請求項１５に記載のシステムにおいて、前記コントローラは、前記ノードによる別のノードへのフレームの送信に対してカウントするように、カウンターを動作させることによって、前記ＴＯＦ測定を実行するように構成されている、システム。
【請求項１８】
請求項１５に記載のシステムにおいて、前記コントローラは、前記決定された同期ポイントに基づいて、前記ノードによるフレームの受信から、前記ノードによる応答フレームの送信までの時間間隔をカウントするように、前記ノードにおけるカウンターを動作させることによって、前記ＴＯＦ測定を実行するように構成されている、システム。
【請求項１９】
請求項１８に記載のシステムにおいて、前記コントローラは、さらに、前記ノードによって受信された複数のフレームにおけるパイロット・トーンの線形周波数シフトに従って計算された遅延によって前記カウントされた時間間隔を修正するように構成されている、システム。
【請求項２０】
請求項１１に記載のシステムにおいて、前記コントローラは、さらに、
前記ノードによって複数のフレームの各々を検出し、
各受信されたフレームの各受信時間を前記ノードにおいて記憶されている各波形と相互相関させて、各フレームの各同期ポイントを決定するように構成されている、システム。
【手続補正書】
【提出日】平成19年5月10日(2007.5.10)
【手続補正１】
【補正対象書類名】特許請求の範囲
【補正対象項目名】全文
【補正方法】変更
【補正の内容】
【特許請求の範囲】
【請求項１】
医療用装置（１）の動作を開始させるための作動素子（２）を備えた医療用装置（１）であって、該装置の誤った起動を防止する安全システム（３）を特徴とする、医療用装置。
【請求項２】
請求項１記載の装置において、前記安全システム（３）は、人が作動素子（２）を作動させているか否かを確認することができる、装置。
【請求項３】
請求項１または２のいずれかに記載の装置において、前記安全システムは、力センサ、温度センサ、光センサ、容量センサ、指紋センサ、タッチ・スクリーン、および／またはトランスポンダを備えている、装置。
【請求項４】
請求項１から３のいずれかに記載の装置において、前記安全システムは、少なくとも一人の人を識別することができる、装置。
【請求項５】
請求項１から４のいずれかに記載の装置において、少なくとも一人の人の識別、および／または識別した人の許可レベルについての情報を格納してあるデータベースを備えている、装置。
【請求項６】
請求項１から５のいずれかに記載の装置において、センサに対して既定の位置関係で身体部分の生物学的特徴を確実に検出する位置合わせ装置を備えている、装置。
【請求項７】
請求項１から６のいずれかに記載の装置において、前記装置の動作状態を出力する光学および／または音響の出力装置を備えている、装置。
【請求項８】
医療用装置に関する安全システムであって、前記医療用装置の誤った起動を防止するために、前記安全システムに前記医療用装置が結合された、安全システム。
【請求項９】
医療用装置を起動する方法であって、入力コマンドを実行する前に、該コマンドが人によって入力されたのか、および／または当該人が識別されたか否かチェックを行う、方法。
【請求項１０】
請求項９に記載の方法において、前記人が、予め規定されている許可を有するか否かチェックする、方法。
【請求項１１】
請求項９または１０のいずれかに記載の方法において、入力コマンドまたは人をチェックするためのシステムに対する起動コマンドは、前記システムの起動の前に入力しなければならない、方法。
【請求項１２】
請求項９から１１のいずれかに記載の方法において、人の識別の後、当該人のために特定のプログラムを実行する、方法。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
密封されたバイアルに使用される物質ハンドリングシステムであって、
バイアルを完全に封入するように構成される分離エンクロージャと、
分離エンクロージャ内に取り付けられ、かつ流体流路を有する抽出部材を含むラッチ式抽出要素とを備え、該抽出部材は、流体流路を通して、バイアル内に物質を挿入しかつバイアルから物質を取り出すように構成され、前記物質ハンドリングシステムがさらに、
分離エンクロージャ内に取り付けられ、かつ固定された位置においてバイアルをラッチ式抽出要素に固定する主係合部材を備え、抽出部材が、バイアル内に延びてバイアルから物質を取り出し、
分離エンクロージャが、本体部分、キャップ部分、およびクロージャ部分により選択的に密封可能な開口を有する、物質ハンドリングシステム。
【請求項２】
クロージャ部分が、本体部分に位置する締付部材およびキャップ部分に位置する取付け具を備え、締付部材および取付け具が、開口を選択的に密封するようにかみ合う、請求項１に記載のシステム。
【請求項３】
本体部分が、少なくとも半透明の物質から構成される可撓性バッグである、請求項２に記載のシステム。
【請求項４】
先行係合部材をさらに備え、該先行係合部材が、分離エンクロージャ内に取り付けられ、かつ抽出部材がバイアルの外側に位置するように、抽出部材に近接する先行固定位置にバイアルを固定するように構成される、請求項１に記載のシステム。
【請求項５】
流体流路と流体流接触する分離エンクロージャの外側に取り付けられ、かつバイアルからの流体の流れを制御するように構成されるバルブと、
再密封部材を有し、かつバルブと流体流接触して着脱可能に結合できるアダプタとをさらに備え、再密封部材が、バルブに結合されると流体の流れを可能にし、バルブから切り離されると流体の流れを制限する、請求項１に記載のシステム。
【請求項６】
分離エンクロージャから離れて位置する第２のバルブをさらに備え、該第２のバルブが、アダプタに流体流接触して着脱可能に結合できる、請求項５に記載のシステム。
【請求項７】
抽出部材が、穿孔ピンである、請求項１に記載のシステム。
【請求項８】
アダプタがさらに、
本体を貫通する細長い流体通路を有する本体と、
バルブにアダプタを解放可能に結合するための、本体の近位端に位置する締付要素と、
本体の近位端に流体通路に沿って配置された作動ポストとを備え、該作動ポストは、アダプタがバルブに結合されると、バルブに貫入して流体を流すためにバルブを開くように構成され、
再密封部材は、アダプタがバルブに結合されると、アダプタを通して流体を流すことを可能にするために作動ポストに結合され、アダプタがバルブから切り離されると、アダプタを通る流体の流れを制限する、請求項５に記載のシステム。
【請求項９】
再密封部材が、再密封部材の弾性により通常は閉じられたプレスリット開口を有し、プレスリット開口が、バルブの中空のスパイクピンを受け入れて、アダプタを開き、バルブの中空のスパイクピンを通してバルブからの流体を流すように構成される、請求項５に記載のシステム。
【請求項１０】
本体の遠位端に流体通路に沿って配置されたポートをさらに備え、該ポートが、針のないシリンジにアダプタを流体連通させるように構成される、請求項８に記載のシステム。
【請求項１１】
ラッチ式抽出要素がさらに、
本体部分を貫通する細長い流体通路を有するラッチ要素の本体部分と、
ラッチ要素の本体部分の遠位端に位置し、流体通路と流体連通する接続部材とを備え、
抽出部材が、流体通路と流体連通してラッチ要素の本体部分の近位端に位置し、かつバイアルに入り、流体流路を通してバイアルから物質を取り出すように構成され、
主係合部材および先行係合部材が、ラッチ要素の本体部分に取り付けられる、請求項４に記載のシステム。
【請求項１２】
主係合部材が、複数のラッチアームを有し、該複数のラッチアームが、本体部分のまわりに等間隔で配置され、かつラッチ要素の本体部分から抽出部材と同一方向に延びる、請求項１１に記載のシステム。
【請求項１３】
先行係合部材が、１対のラッチアームを有し、該１対のラッチアームが、本体部分まわりに等間隔で配置され、本体部分から抽出部材と同一方向に延びる、請求項１２に装置。
【請求項１４】
主係合部材のラッチアームが、ラッチ要素の本体部分にかつラッチ要素の本体部分のまわりに、先行係合部材のラッチアームに対して交互配置される、請求項１３に記載の装置。
【請求項１５】
密封されたバイアルから物質にアクセスする方法であって、
先行固定位置に不透過性の分離エンクロージャにバイアルを固定するステップと、
不透過性の分離エンクロージャを閉じるステップと、
不透過性の分離エンクロージャの外部からバイアルの内容物に選択的にアクセスするステップとを含む、方法。
【請求項１６】
バイアルの内容物にアクセスする前に、バイアルを突き刺すと同時に、主固定位置に不透過性の分離エンクロージャにバイアルを固定するステップと、
バイアルの内容物の少なくとも一部を取り出すステップと、
取り出された一部を移動し、内容物を分離して保持し、その間、バイアルを突き刺した状態で主固定位置に維持するステップとさらに含む、請求項１５に記載の方法。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
脱免疫化抗ＣＤ３抗体。
【請求項２】
配列番号１１、１２、１３、１４、１５、１６および１７からなる群から選択される配列を含む、脱免疫化抗ＣＤ３抗体重鎖可変領域。
【請求項３】
配列番号１９および２０からなる群から選択される配列を含む、脱免疫化抗ＣＤ３抗体軽鎖可変領域。
【請求項４】
抗ＣＤ３抗体を選択する工程；ならびに
該抗ＣＤ３抗体を所定の種に対して免疫原性を低くする工程、
を含包する、方法。
【請求項５】
請求項４に記載の方法であって、前記抗ＣＤ３抗体を前記所定の種に対して免疫原性を低くする工程は、
（ａ）該抗体のアミノ酸配列の少なくとも一部を決定する工程；
（ｂ）該アミノ酸配列中で該所定の種の内在性タンパク質の中に見出される一以上の潜在的なＴ細胞のエピトープ（「Ｔ細胞エピトープ」）を同定する工程；
（ｃ）該アミノ酸配列を改変して、工程（ｂ）で同定された該Ｔ細胞エピトープのうち少なくとも一つを除去し、それにより該所定の種の免疫システムにさらされたときに、該抗体もしくはその一部分の免疫原性を減少させる工程、
を含包する、方法。
【請求項６】
（ａ）少なくとも一部が脱免疫化された抗ＣＤ３抗体をコードする配列を含むＤＮＡ配列を有する発現ベクターを産生する工程、
（ｂ）該ベクターで宿主細胞をトランスフェクトする工程、
（ｃ）該トランスフェクトされた細胞株を培養して脱免疫化抗ＣＤ３抗体分子を産生する工程、
を含包する、方法。
【請求項７】
脱免疫化抗ＣＤ３抗体および薬学的に受容可能なキャリアを含む、薬学的組成物。
【請求項８】
請求項７に記載の組成物であって、前記脱免疫化抗ＣＤ３抗体は、配列番号１１、１２、１３、１４、１５、１６および１７からなる群から選択される配列を含む重鎖可変領域を含む、組成物。
【請求項９】
請求項７に記載の組成物であって、前記脱免疫化抗ＣＤ３抗体は、配列番号１９および２０からなる群から選択される配列を含む重軽鎖可変領域を含む、組成物。
【請求項１０】
個体へ投与される抗ＣＤ３抗体であって、該ＣＤ３抗体は、一以上のヒトＩｇＧ２抗体に由来する第一の部分と、一以上のヒトＩｇＧ４抗体に由来する第二の部分を有する操作された重鎖不可変領域を含み、少なくとも該抗体の一部が脱免疫化されている抗体。
【請求項１１】
請求項１０に記載の抗体であって、少なくとも前記抗体の軽鎖可変領域が脱免疫化されている抗体。
【請求項１２】
請求項１０に記載の抗体であって、少なくとも前記抗体の重鎖可変領域が脱免疫化されている抗体。
【請求項１３】
請求項１０に記載の抗体であって、前記抗体の軽鎖及び重鎖可変領域が脱免疫化されている抗体。
【請求項１４】
請求項１０に記載の抗体であって、前記抗ＣＤ３抗体が配列番号１１、１２、１３、１４、１５、１６および１７からなる群から選択される配列を含む重鎖可変領域を含む抗体。
【請求項１５】
請求項１０に記載の抗体であって、前記抗ＣＤ３抗体が配列番号１９および２０からなる群から選択される配列を含む重鎖可変領域を含む抗体。
【請求項１６】
請求項１０に記載の抗体であって、前記抗ＣＤ３抗体の少なくとも一部が
（ａ）該抗体のアミノ酸配列の少なくとも一部を決定する工程；
（ｂ）該アミノ酸配列中で所定の種の内在性タンパク質の中に見出される一以上の潜在的なＴ細胞のエピトープ（「Ｔ細胞エピトープ」）を同定する工程；
（ｃ）該アミノ酸配列を改変して、工程（ｂ）で同定された該Ｔ細胞エピトープのうち少なくとも一つを除去し、それにより該所定の種の免疫システムにさらされたときに、該抗体もしくはその一部分の免疫原性を減少させる工程、
によって、該抗体もしくはその一部を該所定の種に対して非免疫原性にするか、または、免疫原性を低くする工程を含包するプロセスによって脱免疫化されている抗体。
【請求項１７】
脱免疫化抗ＣＤ３抗体をコードする、核酸。
【請求項１８】
請求項１７に記載の核酸であって、配列番号１１、１２、１３、１４、１５、１６および１７からなる群から選択される配列を含む抗体重鎖可変領域をコードする、核酸。
【請求項１９】
請求項１７に記載の核酸であって、配列番号１９および２０からなる群から選択される配列を含む抗体軽鎖可変領域をコードする、核酸。
【請求項２０】
請求項１７から１９のいずれかに記載の核酸によってコードされる抗ＣＤ３抗体と薬学的に受容可能なキャリアを含む、薬学的組成物。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
乳癌細胞の試料由来の乳癌細胞中のER-α遺伝子プロモーターのDNAメチル化パターンを決定するステップを含むアッセイ方法であって、当該アッセイの結果は、当該細胞のエストロゲン受容体の状態を診断するために使用され、ここで、
(i) 当該細胞中のER-α遺伝子プロモーターのA、B、C及びE領域におけるDNAメチル化の存在は、当該細胞がエストロゲン受容体-陰性であることを示し；及び
(ii) 当該細胞のER-α遺伝子プロモーターにおけるDNAメチル化の不存在又はER-α遺伝子プロモーターのD領域にのみのDNAメチル化の存在は、当該細胞がエストロゲン受容体-陽性であることを示す、前記方法。
【請求項２】
前記2番目のステップが、前記ER-α遺伝子プロモーターに結合した複数分子複合体を検出するステップを更に含み、ここで、
(i) 前記細胞中のER-α遺伝子プロモーターのA、B、C及びE領域におけるDNAメチル化の存在、及び前記細胞中の前記ER-α遺伝子プロモーターに結合したpRb2/p130-E2F4/5-HDAC1-DNMT1- UV39H1複合体の存在が、前記細胞がエストロゲン受容体-陰性であることを示し；及び
(ii) 前記細胞の前記ER-α遺伝子プロモーターにおけるDNAメチル化の不存在、又は前記細胞中のER-α遺伝子プロモーターのD領域にのみのDNAメチル化の存在、及び前記細胞中のER-α遺伝子プロモーターに結合したpRb2/pl30-E2F4/5-HDAC1-SUV39H1-p300複合体の存在が、前記細胞がエストロゲン受容体-陽性であることを示す、請求項１記載の方法。
【請求項３】
ER-α遺伝子の転写を活性化する少なくとも１つの化合物に、エストロゲン受容体-陰性乳癌細胞の試料又はエストロゲン受容体-陽性乳癌細胞の試料由来の、エストロゲン受容体-陰性乳癌細胞又はエストロゲン受容体-陽性乳癌細胞を曝露するステップを含む、エストロゲン受容体-陽性乳癌細胞を製造又は維持することによる医薬の製造方法。
【請求項４】
前記ER-α遺伝子の転写が、前記細胞においてER-α遺伝子プロモーターを脱メチル化することにより活性化される、請求項３記載の方法。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
大気圧でガス放電によって発生したプラズマにより生きている細胞を含有する生物学的材料を処理し、電極が生物学的材料と間隔をおいて配置され、誘電体が生物学的材料と電極の間で生物学的材料と間隔をおいて配置され、生物学的材料と電極の間の誘電体によって誘電的に阻止されたガス放電を惹起するために双極交流高電圧が電極に付与される方法において、コンパクトな固体誘電体（２）が電極（３）の前に間隔なしに配置されており、そして交流高電圧はガス放電の電力が１０Ｗより少ないように電極に（３）に印加されることを特徴とする方法。
【請求項２】
ガス放電（９）は１００ｍｍ2 より少なく、特に５０ｍｍ2 より少ない生物学的材料（１）の面上に発生されることを特徴とする請求項１に記載の方法。
【請求項３】
ガス流（14) はガス放電（９）の領域において生物学的材料（１）上に案内されることを特徴とする請求項１或いは２に記載の方法。
【請求項４】
ガス（12) はガス放電（９）の領域から吸い出されることを特徴とする請求項１乃至３のいずれか一項に記載の方法。
【請求項５】
ガス（12) は電極（３）と共軸方向に吸い出されることを特徴とする請求項１乃至４のいずれか一項に記載の方法。
【請求項６】
ガス放電（９）はガス或いはガス混合物（13) 内で惹起されて、その構成は空気とは相違することを特徴とする請求項１乃至５のいずれか一項に記載の方法。
【請求項７】
交流高電圧はガス放電（９）の電力が５Ｗより少ない値であるように電極（３）に供給されることを特徴とする請求項１乃至６のいずれか一項に記載の方法。
【請求項８】
交流高電圧は１から３０００ｋＨｚの周波数により１ｋＶの大きさの個々の双極電圧パルスの形態で発生されることを特徴とする請求項１乃至７のいずれか一項に記載の方法。
【請求項９】
ガス放電（９）の領域は横に電気絶縁性且つ非静的荷電性の材料（10) により遮蔽されていることを特徴とする請求項１乃至８のいずれか一項に記載の方法。
【請求項１０】
交流高電圧は蓄電池（８）からの電気エネルギーの使用の下で発生されることを特徴とする請求項１乃至９のいずれか一項に記載の方法。
【請求項１１】
大気圧でガス放電によって発生したプラズマと、電極と、電極の前に配置された誘電体と、電極に供給する双極交流高電圧を発生させる交流高電圧発生器と備えて、その交流高電圧が誘電体によって誘電的に阻止されたガス放電を誘電体の作用面と生物学材料の間に惹起させる、請求項１乃至10のいずれか一項に記載の方法に基づく生きている細胞を含有する生物学材料を処理する装置において、誘電体（２）は電極（３）の前に間隔なしに配置されるコンパクトな固体誘電体であり、そして交流高電圧発生器（７）は１０Ｗより少ない電力を電極に（３）に出力することを特徴とする装置。
【請求項１２】
誘電体（２）の作用面（５）は１００ｍｍ2 より少なく、特に５０ｍｍ2 より少ないことを特徴とする請求項11に記載の装置。
【請求項１３】
ガス導入部(15)は誘電体（２）の作用面（５）前の領域に設けられていることを特徴とする請求項11或いは12に記載の装置。
【請求項１４】
ガス導入部(15)はガス或いはガス混合物（13) 用貯槽にて空気と別の構成と接続されていることを特徴とする請求項１乃至５のいずれか一項に記載の装置。
【請求項１５】
ガス吸出し部(10)は誘電体（２）の作用面（５）前の領域から設けられていることを特徴とする請求項11乃至14のいずれか一項に記載の装置。
【請求項１６】
ガス吸出し部(10)は電極（３）と共軸方向に配置された吸出し管を有することを特徴とする請求項15に記載の装置。
【請求項１７】
交流高電圧発生器（７）は５Ｗより少ない値である電力を電極（３）に与えることを特徴とする請求項11乃至16のいずれか一項に記載の装置。
【請求項１８】
交流高電圧発生器（７）は１から３０００ｋＨｚの周波数をもつ交流高電圧を１ｋＶの大きさの個々の双極電圧パルスの形態で発生させることを特徴とする請求項11乃至17のいずれか一項に記載の装置。
【請求項１９】
電気絶縁性且つ非静的荷電性材料から成る横遮蔽部(10)は誘電体（２）の作用面（５）を越えて突き出すことを特徴とする請求項11乃至18のいずれか一項に記載の装置。
【請求項２０】
交流高電圧発生器（７）と誘電体（２）をもつ電極（３）は電池駆動手持装置の一部であることを特徴とする請求項１乃至９のいずれか一項に記載の装置。
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
物品を保持および反転させるように構築および配置されるデバイスを備え、前記物品が、実質的に平坦な生物学的基材を備える、装置。
【請求項２】
前記基材が、チャンバ内に収容される、請求項１に記載の装置。
【請求項３】
前記物品が、前記基材を備える細胞培養チャンバを含む、請求項１に記載の装置。
【請求項４】
前記細胞培養チャンバが、マイクロプレートである、請求項３に記載の装置。
【請求項５】
前記細胞培養チャンバが、ペトリ皿である、請求項３に記載の装置。
【請求項６】
前記細胞培養チャンバが、細胞培養フラスコである、請求項３に記載の装置。
【請求項７】
前記デバイスが、少なくとも１つの軸を中心として前記物品を回転および／または周回させうるように構成される、請求項１に記載の装置。
【請求項８】
前記軸が実質的に水平である、請求項７に記載の装置。
【請求項９】
前記軸が、前記基材を通過しない、請求項７に記載の装置。
【請求項１０】
前記物品が、形状が細長い少なくとも１つの所定の反応部位を備える、請求項９に記載の装置。
【請求項１１】
前記デバイスが、第１の軸を中心として前記物品を回転および／または周回させうるように構成され、該第１の軸が、前記形状が細長い少なくとも１つの所定の反応部位の長手軸と直交するが交差しない、請求項１０に記載の装置。
【請求項１２】
前記デバイスを囲むハウジングをさらに備える、請求項１に記載の装置。
【請求項１３】
前記ハウジング内の温度を制御しうるように構成された機構をさらに備える、請求項１２に記載の装置。
【請求項１４】
前記ハウジング内の相対湿度を制御しうるように構成された機構をさらに備える、請求項１２に記載の装置。
【請求項１５】
前記ハウジング内のガスの濃度を制御しうるように構成された機構をさらに備える、請求項１２に記載の装置。
【請求項１６】
物品を回転および／または周回させうるように構築および配置されたデバイスを備え、前記物品が、実質的に水平な軸の周囲の実質的に平坦な生物学的基材を備える、装置。
【請求項１７】
前記物品が、前記基材を備える細胞培養チャンバを含む、請求項１６に記載の装置。
【請求項１８】
前記軸が、前記基材を通過しない、請求項１６に記載の装置。
【請求項１９】
前記物品が、形状が細長い少なくとも１つの所定の反応部位を備える、請求項１８に記載の装置。
【請求項２０】
前記デバイスが、第１の軸を中心として前記物品を回転および／または周回させうるように構成され、該第１の軸が、前記形状が細長い少なくとも１つの所定の反応部位の長手軸と直交するが交差しない、請求項１９に記載の装置。
【請求項２１】
前記デバイスを囲むハウジングをさらに備える、請求項１６に記載の装置。
【請求項２２】
装置であって、
選択領域；および
複数の生物学的基材を同時に攪拌しうるデバイスであって、該デバイスは、該生物学的基材の少なくとも１つを前記選択領域に選択的に配置しうる、デバイス
を備える、装置。
【請求項２３】
細胞培養チャンバが前記生物学的基材を備える、請求項２２に記載の装置。
【請求項２４】
前記デバイスを囲むハウジングをさらに備える、請求項２２に記載の装置。
【請求項２５】
前記選択領域が、前記デバイスを囲む前記ハウジングの開口によって規定される、請求項２４に記載の装置。
【請求項２６】
前記デバイスが、ある軸を中心として前記複数の生物学的基材を同時に回転および／または周回させうる、請求項２２に記載の装置。
【請求項２７】
前記軸が実質的に水平である、請求項２２に記載の装置。
【請求項２８】
生物学的基材を備える物品を、第１の位置と該第１の位置と垂直に並んだ第２の位置との間で、周期的に移動させるように構築および配置されたデバイス
を備える装置。
【請求項２９】
前記デバイスが、少なくとも１つの軸を中心とする前記物品の回転および／または周回によって、前記生物学的基材を前記第１の位置と前記第２の位置との間で移動させるように構築および配置される、請求項２８に記載の装置。
【請求項３０】
内部空間を有し、該内部空間を少なくとも約１００℃の温度まで加熱するよう構築および配置される細胞培養インキュベータ
を備える装置。
【請求項３１】
装置であって、
内部および外部を備え、化学的、生物学的および／または生化学的試料を含む基材をそれに取り付けうるように構築および配置される、ハウジング；
前記ハウジングの前記内部の環境を前記ハウジングの前記外部の環境と異なるように維持しうるように構成される機構；および
前記ハウジングの壁面に規定されたポートを通過して、基材を前記ハウジングの前記外部から前記ハウジングの前記内部へと導入し、かつ／または該基材を前記ハウジングの前記内部から前記ハウジングの前記外部へと引き出すように構成されたアクチュエータ
を備え、
前記ポートが、前記基材の最小寸法の２倍を超えない少なくとも１つの寸法を含む、
装置。
【請求項３２】
複数の化学的、生物学的、および／または生化学的試料を備える物品を反転させる工程であって、該物品はハウジング内に取り付けられ、該ハウジングは、複数の類似の物品を取り付けるように構成されかつ該ハウジング内に環境制御を提供しうる、工程
を包含する、方法。
【請求項３３】
溶液を実質的に水平な軸を中心として周回させることによって該溶液から細胞を分離させる工程
を包含する、方法。
【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
５’から３’の方向に第１蛋白質又はポリペプチドのコーディング配列に作用可能な状態で連結されたプロモーター、フリン蛋白質分解開裂部位、自己プロセッシング開裂部位をコードする配列、及び第２蛋白質又はポリペプチドコーディング配列、を含む組換え蛋白質の発現ベクター。
【請求項２】
前記ベクターがアデノ随伴ウイルス（ＡＡＶ）ベクター、レンチウイルスベクター、レトロウイルスベクター、複製可能アデノウイルスベクター、複製欠陥アデノウイルスベクター、ガットレス（gutless）アデノウイルスベクター、ヘルペスウイルスベクター、及びアデノウイルスプラスミドからなる群から選ばれるベクターである、請求項１に記載のベクター。
【請求項３】
前記自己プロセッシング開裂部位をコードする配列が２Ａ配列を含む、請求項１または２に記載のベクター。
【請求項４】
前記２Ａ配列が口蹄疫ウイルス（ＦＭＤＶ）の配列である、請求項３に記載のベクター。
【請求項５】
前記２Ａ配列が、配列番号１、配列番号２、配列番号３、配列番号４、配列番号５、配列番号６、配列番号７、配列番号８および配列番号９として示される配列からなる群より選択される２Ａ開裂部位をコードする、請求項４に記載のベクター。
【請求項６】
前記第１蛋白質又はポリペプチドのコーディング配列が第VIII因子重鎖、第VIII因子軽鎖、又はそれらの断片をコードする、請求項１〜５のいずれか一項に記載のベクター。
【請求項７】
前記コーディング配列が第VIII因子の重鎖または軽鎖の全長のコーディング配列である、請求項１〜６のいずれか一項に記載のベクター。
【請求項８】
前記フリン開裂部位がＲＸＫ（Ｒ）Ｒ（配列番号１０）のコンセンサス配列を有する、請求項１〜７のいずれか一項に記載のベクター。
【請求項９】
前記プロモーターが、延長因子１−αプロモーター（ＥＦ１a）プロモーター、ホスホグリセリン酸キナーゼ−１プロモーター（ＰＧＫ）プロモーター、サイトメガロウイルス最初期遺伝子プロモーター（ＣＭＶ）、キメラ肝特異的プロモーター（ＬＳＰ）、サイトメガロウイルスのエンハンサー／ニワトリ  βアクチンプロモーター（ＣＡＧ）、テトラサイクリン応答プロモーター（ＴＲＥ）、トランスサイレチン（transthyretin）プロモーター（ＴＴＲ）、シミアンウイルス４０プロモーター（ＳＶ４０）、及びＣＫ６プロモーターから成る群から選ばれる、請求項１〜８のいずれか一項に記載のベクター。
【請求項１０】
シグナル配列をさらに含む、請求項１〜９のいずれか一項に記載のベクター。
【請求項１１】
前記ベクターがアデノ随伴ウイルスベクター（ＡＡＶ）である、請求項１〜１０のいずれか一項に記載のベクター。
【請求項１２】
前記第１蛋白質又はポリペプチドのコーディング配列及び前記第２蛋白質又はポリペプチドのコーディング配列が、実質的に等モル比率で発現される、請求項１〜１１のいずれか一項に記載のベクター。
【請求項１３】
請求項１〜１２のいずれか一項に記載のベクターをトランスフェクトされた細胞により作製される組換え蛋白質又はポリペプチド。
【請求項１４】
請求項１〜１２のいずれか一項に記載のベクターをトランスフェクトされた宿主細胞。
【請求項１５】
蛋白質、ポリペプチド、又はその断片の製造方法であって、以下のステップ：
（ｉ）請求項１に記載のベクターを宿主細胞に形質導入し；そして
（ii）前記形質導入された宿主細胞内で上記組換え蛋白質又はポリペプチドを発現させ、ここで前記第１蛋白質又はポリペプチドのコーディング配列及び前記第２蛋白質又はポリペプチドのコーディング配列が等モル比で発現される；
を含む製造方法。
【請求項１６】
前記自己プロセッシング開裂部位をコードする配列が２Ａ配列を含む、請求項１５に記載の方法。
【請求項１７】
前記２Ａ配列が口蹄疫ウイルス（ＦＭＤＶ）配列である、請求項１５または１６に記載の方法。
【請求項１８】
前記２Ａ配列が、配列番号１、配列番号２、配列番号３、配列番号４、配列番号５、配列番号６、配列番号７、配列番号８および配列番号９として示される配列からなる群より選択される２Ａ開裂部位をコードしている、請求項１５〜１７のいずれか一項に記載の方法。
【請求項１９】
前記２Ａ配列が、アミノ酸残基ＡＰＶＫＱＴＬＮＦＤＬＬＫＬＡＧＤＶＥＳＮＰＧＰ（配列番号６）を含むオリゴペプチドをコードしている、請求項１８に記載の方法。
【請求項２０】
前記追加の蛋白質分解開裂部位のフリン開裂部位がＲＸＫ（Ｒ）Ｒ（配列番号１０）のコンセンサス配列を有する、請求項１５〜１９のいずれか一項に記載の方法。
【請求項２１】
前記ベクターが、アデノ随伴ウイルス（ＡＡＶ）ベクターである、請求項１５〜２０のいずれか一項に記載の方法。
【請求項２２】
前記第１蛋白質又はポリペプチドのコーディング配列が、抗体重鎖をコードしている、請求項１５〜２１のいずれか一項に記載の方法。
【手続補正書】
【提出日】平成19年6月1日(2007.6.1)
【手続補正１】
【補正対象書類名】特許請求の範囲
【補正対象項目名】請求項１３
【補正方法】変更
【補正の内容】
【請求項１３】
前記接続手段が、注入手段（３４）へ向かう液体の流量を調整するための手段（３２）を含むことを特徴とする、請求項１２記載の装置。
【手続補正２】
【補正対象書類名】特許請求の範囲
【補正対象項目名】請求項１９
【補正方法】変更
【補正の内容】
【請求項１９】
大気中に存在する粒子及び微生物を分離及び収集するための内蔵型かつ携帯型のキットであって、取り外し可能な予備の容器、少なくとも１つの注入液のタンク、及び少なくとも１つの再充電可能なバッテリのようなアクセサリのバッグと共に、請求項１から１８の何れか１項記載のタイプの装置を含むことを特徴とするキット。
【手続補正３】
【補正対象書類名】明細書
【補正対象項目名】０００２
【補正方法】変更
【補正の内容】
【０００２】
（背景技術）
空気中の粒子及び微生物を定性的及び定量的に評価することは、製薬業界、農業食品業界、医療、衛生サービス、獣医サービス等のような多くの分野で重要である。収集する対象の粒子及び微生物の寸法は、約０．５ミクロン（μｍ）〜約１５μｍの範囲にあると考えられる。
【手続補正４】
【補正対象書類名】明細書
【補正対象項目名】００４２
【補正方法】変更
【補正の内容】
【００４２】
有利なことには、タンク３０は、注入される液体を圧縮するための手段３６と連動する。これらの手段３６は、例えば、図示されたようなタンク３０の移動底部上で作動するスプリングや、圧縮されたガス等を含む、あらゆる適切なタイプである。タンク３０自体は「一回投与」タンク、言い換えれば、１つの試料を採取するのに充分な比較的少量の液体を収容することができるタンクであることができ、また他に、複数の試料を連続的に採取することができる、より多量の液体を収容する場合の「複数投与」タンクであることができる。
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
遺伝子組換え免疫グロブリンの発現のためのベクターであって：
5’から3’方向へ、免疫グロブリン分子の第一の鎖又はその断片のコーディング配列、フリン開裂部位、２Ａ自己プロセシング開裂部位をコードする配列、及び免疫グロブリン分子の第二の鎖又はその断片のコーディング配列、に作用可能式にリンクされたプロモーターを含んで成り、該自己プロセシング開裂部位をコードする配列は、該免疫グロブリン分子の該第一の鎖のコーディング配列と該第二の鎖のコーディング配列の間に挿入されることを特徴とするベクター。
【請求項２】
前記ベクターが、アデノ随伴ウイルス（AAV）ベクター、レンチウイルス・ベクター、レトロウイルス・ベクター、複製可能アデノウイルス・ベクター、複製欠損アデノウイルス・ベクター、及び減弱（gutless）アデノウイルス・ベクター、ヘルペスウイルス・ベクター、及び非ウイルス・プラスミドから成る群から選択されることを特徴とする請求項１に記載のベクター。
【請求項３】
前記2A配列が口蹄疫ウイルス（FMDV）配列であることを特徴とする請求項１または２に記載のベクター。
【請求項４】
前記2A配列が、SEQID NO:1、SEQ ID NO:2、SEQ ID NO:3、SEQ ID NO:4、SEQ ID NO:5、SEQ ID NO:6、SEQ ID NO:7、SEQID NO:8およびSEQ ID NO:9に示される配列からなる群より選択される２Ａ開裂部位をコードすることを特徴とする請求項４に記載のベクター。
【請求項５】
前記２Ａ配列が、APVKQTLNFDLLKLAGDVESNPGP (SEQ ID NO:6)に示される配列を有する２Ａ開裂部位をコードすることを特徴とする請求項４に記載のベクター。
【請求項６】
前記フリン開裂部位が、コンセンサス配列RXK(R)R(SEQ ID NO:10)を有することを特徴とする請求項１〜５のいずれか１項に記載のベクター。
【請求項７】
前記免疫グロブリン分子の前記第一の鎖又はその断片のコーディング配列が免疫グロブリン重鎖をコードすることを特徴とする請求項１〜６のいずれか１項に記載のベクター。
【請求項８】
前記コーディング配列が免疫グロブリン重鎖の全長コーディング配列であることを特徴とする請求項７に記載のベクター。
【請求項９】
前記プロモーターが、伸長因子1-アルファ・プロモーター（EF1a）プロモーター、ホスホグリセレート・キナーゼ-1プロモーター（PGK）プロモーター、サイトメガロウイルス即時型（immediateearly）遺伝子プロモーター（CMV）、キメラ肝特異的プロモーター（LSP）サイトメガロウイルス・エンハンサー／チキン・ベータ-アクチン・プロモーター（CAG）、テトラサイクリン応答プロモーター（TRE）、トランスサイレチン・プロモーター（TTR）、シミアンウイルス40プロモーター（SV40）及びCK6プロモーターから成る群から選択されることを特徴とする請求項１〜８のいずれか１項に記載のベクター。
【請求項１０】
さらにシグナル配列を含む、請求項１〜９のいずれか１項に記載のベクター。
【請求項１１】
前記重鎖及び軽鎖免疫グロブリンのコーディング配列が等モル比で発現されることを特徴とする請求項１〜１０のいずれか１項に記載のベクター。
【請求項１２】
前記ベクターがアデノ随伴ウイルス（AAV）ベクターであることを特徴とする請求項２〜５のいずれか１項に記載のベクター。
【請求項１３】
請求項１〜１２のいずれか１項に記載のベクターで形質移入された細胞によって産生される遺伝子組換え免疫グロブリン又はその断片。
【請求項１４】
請求項１〜１２のいずれか１項に記載のベクターで形質移入された宿主細胞。
【請求項１５】
免疫グロブリン分子又はその断片を産生する方法であって：
（i）単一宿主細胞に遺伝子組換え免疫グロブリンを発現させるためのベクターを導入するステップ、ここで該ベクターは：
5’から3’方向へ、免疫グロブリン分子の第一の鎖又はその断片のコーディング配列、フリン開裂部位、自己プロセシング開裂部位をコードする配列、及び免疫グロブリン分子の第二の鎖又はその断片のコーディング配列、に作用可能式にリンクされたプロモーターを含む；及び
（ii）該遺伝子組換え免疫グロブリンを該形質転換した単一宿主細胞で発現させるステップ、ここで該免疫グロブリン分子の第一の鎖及び第二の鎖、又はその断片は等モル比で発現される、
を含む方法。
【請求項１６】
前記自己プロセシング開裂部位をコードする配列が2A配列を含むことを特徴とする請求項１５に記載の方法。
【請求項１７】
前記2A配列が口蹄疫ウイルス（FMDV）配列であることを特徴とする請求項１５または１６に記載の方法。
【請求項１８】
前記2A配列が、SEQID NO:1、SEQ ID NO:2、SEQ ID NO:3、SEQ ID NO:4、SEQ ID NO:5、SEQ ID NO:6、SEQ ID NO:7、SEQID NO:8およびSEQ ID NO:9に示される配列からなる群より選択される２Ａ開裂部位をコードすることを特徴とする請求項１７に記載の方法。
【請求項１９】
前記２Ａ配列が、APVKQTLNFDLLKLAGDVESNPGP (SEQ ID NO:6)に示される配列を有する２Ａ開裂部位をコードすることを特徴とする請求項１８に記載のベクター。
【請求項２０】
前記フリン開裂部位が、コンセンサス配列RXK(R)R(SEQ ID NO:10)を有することを特徴とする請求項１５〜１９のいずれか１項に記載のベクター。
【請求項２１】
前記プロモーターが、伸長因子1-アルファ・プロモーター（EF1a）プロモーター、ホスホグリセレート・キナーゼ-1プロモーター（PGK）プロモーター、サイトメガロウイルス即時型遺伝子プロモーター（CMV）、キメラ肝特異的プロモーター（LSP）サイトメガロウイルス・エンハンサー／チキン・ベータ-アクチン・プロモーター（CAG）、テトラサイクリン応答プロモーター（TRE）、トランスサイレチン・プロモーター（TTR）、シミアンウイルス40プロモーター（SV40）及びCK6プロモーターから成る群から選択されることを特徴とする請求項１５〜１９のいずれか１項に記載のベクター。
【請求項２２】
さらにシグナル配列を含む、請求項１５〜２１のいずれか１項に記載のベクター。
【請求項２３】
前記免疫グロブリン分子の該第一の鎖又はその断片のコーディング配列が免疫グロブリン重鎖をコードすることを特徴とする請求項１５〜２２のいずれか１項に記載の方法。
【請求項２４】
前記免疫グロブリン分子の該第一の鎖又はその断片のコーディング配列が免疫グロブリン軽鎖をコードすることを特徴とする請求項１５〜２２のいずれか１項に記載の方法。
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
隣接する骨構造を癒合させる際に使用するインプラントであって、
少なくとも１つの構造部材であって、前記少なくとも１つの構造部材を保持して前記インプラントを形成する少なくとも１つの可撓性のある平面部材と組合わせられる前記少なくとも１つの構造部材、
を含む、インプラント。
【請求項２】
隣接する骨構造を癒合させる際に使用する荷重支持インプラントであって、
複数の骨片と、
前記骨片を内包し、インプラントに所定の形態を与える可撓性のある平面部材と、
を含む、インプラント。
【請求項３】
隣接する骨構造を癒合させる際に使用する荷重支持インプラントであって、
複数の骨片と、
可撓性のある平面部材と、
を含み、前記骨片および可撓性のある平面部材が互層を形成した、インプラント。
【請求項４】
隣接する骨構造を癒合させる際に使用する荷重支持インプラントであって、
可撓性のある平面部材を含む複数の層と、
前記複数の層のうちの少なくとも２つの層を貫通して延びて、自体を前記層内に所定の方向に固定する少なくとも１つの構造部材と、
を含む、インプラント。
【請求項５】
隣接する骨構造を癒合させる際に使用する荷重支持インプラントであって、
前記隣接する骨構造を離隔関係に支持するための荷重支持手段と、
前記荷重支持手段を所定の方向に保持するための保持手段と、
を含む、インプラント。
【請求項６】
隣接する骨構造の癒合を促進するために体を処置する方法であって、
複数の骨片を提供するステップと、
可撓性のある平面部材の中に前記複数の骨片を含めて、所定の形態を有するインプラントを形成するステップと、
隣接する骨構造間に前記インプラントを置くステップと、
を含む、方法。
【請求項７】
隣接する骨構造を癒合させる際に使用するシステムであって、
複数の骨片と、
前記複数の骨片を実質的に保持する少なくとも１つの可撓性のある平面部材と、
前記隣接する骨構造間の相対運動を制限するための構造を有する、前記隣接する骨構造に取付け可能な固定装置と、
を含む、システム。
【請求項８】
隣接する骨構造を癒合させる際に使用するインプラントであって、
第１の荷重支持能力を有する少なくとも１つの保持部材と、
前記第１の荷重支持能力よりも大きな第２の荷重支持能力を有する少なくとも１つの構造部材と、
を含み、前記保持部材が、前記隣接する骨構造に対する所定の方向に前記構造部材を保持する、インプラント。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
少なくとも２つの可変入力に基づいて被験者のＩＣＰを決定するシステムであって、データ取得コンポーネントと、制御コンポーネントと、データ処理コンポーネントとを含み、前記データ取得コンポーネントは、被験者の体表面に装着可能で、少なくとも１つの音源エレメントと、少なくとも１つの音響デテクタ・エレメントとを有し、前記制御コンポーネントは、音響呼びかけ信号を少なくとも１つの音源エレメントに提供する信号生成器を含み、前記データ処理コンポーネントは第１および第２の可変入力を受信し、第１の可変入力は少なくとも１つの音響デテクタ・エレメントからの音響データ信号を含み、第２の可変入力は、ＡＢＰと、ＣＮＳ組織剛性と、ＣＮＳ組織変位と、ＣＮＳ呼吸および代謝に伴う少なくとも１種類または２種類以上の気体の分圧と、ｐＣＯ２と、血液還流と、ヘマトクリットと、電気生理学的性質とからなる群から選ばれ、前記データ処理コンポーネントは第１および第２の可変入力に基づいてＩＣＰを決定するようにプログラムされる、被験者のＩＣＰを決定するシステム。
【請求項２】
前記データ取得コンポーネントは音響トランスデューサアレイを含む、請求項１に記載のシステム。
【請求項３】
前記音響トランスデューサアレイは、１層の薄膜内に配列された複数のｃＭＵＴ音響トランスデューサセルで構成される、請求項２に記載のシステム。
【請求項４】
前記システムは経頭蓋超音波ドップラー装置として動作可能であり、前記データ処理コンポーネントは音響データ信号のドップラー処理を行うことができる、請求項１に記載のシステム。
【請求項５】
前記データ取得コンポーネントは、走査モードで動作して、予め定められまたは選択可能な標的領域から音響データを取得することができ、前記制御コンポーネントは、前記走査モードで取得された音響データに基づいて所望の標的部位を識別し、かつ、音響散乱データを取得するために少なくとも前記音源および音響受信エレメントの一部を前記所望の標的部位に合焦させる、請求項１に記載のシステム。
【請求項６】
前記音源およびデテクタ・エレメントの少なくとも一部は操作可能であり、前記制御コンポーネントは、前記音源および音響受信エレメントを所望の標的部位に合焦させる前に、所定の境界または所定のパラメータを有する少なくとも１つの標的領域を走査するようにプログラムされる、請求項１に記載のシステム。
【請求項７】
前記制御コンポーネントは、予め選択されまたは選択可能な音響的性質に基づいて１個または２個以上の標的部位を前記標的領域内で位置決定するようにプログラミングされている、請求項６に記載のシステム。
【請求項８】
前記データ取得コンポーネントは、複数のｃＭＵＴセル構造体で構成されるｃＭＵＴ音響トランスデューサアレイを含み、前記構造体の少なくとも一部は送信モードで動作可能であり、少なくとも一部は受信モードで動作可能である、請求項１に記載のシステム。
【請求項９】
前記データ取得コンポーネントは、複数のｃＭＵＴセル構造体で構成される１回使用型ｃＭＵＴ音響トランスデューサアレイと、前記制御コンポーネントとの間でデータを送受信するデータ通信部とを含む、請求項１に記載のシステム。
【請求項１０】
前記データ取得コンポーネントは、音源として動作可能なＰＺＴ音響トランスデューサと、音響デテクタ・エレメントとして動作可能なｃＭＵＴアレイとを含む、請求項１に記載のシステム。
【請求項１１】
前記制御コンポーネントは、音響散乱データに由来する第１の可変入力と、被験者の生理学的性質に関する第２の可変入力とを非線形相関を用いてＩＣＰに関連付けることができ、第２の可変入力は、ＡＢＰと、ＣＮＳ組織剛性と、誘発性および／または固有のＣＮＳ組織変位と、ＣＮＳ呼吸および代謝に伴う１種類または２種類以上の気体の分圧と、ｐＣＯ２と、血液還流と、ヘマトクリットと、ＥＫＧと、電気生理学的性質とからなる群から選ばれる、請求項１に記載のシステム。
【請求項１２】
第１の可変入力は頭蓋内血管中の血流速であり、第２の可変入力はＡＢＰである、請求項１１に記載のシステム。
【請求項１３】
第１の可変入力は頭蓋内血管中の血流速であり、第２の可変入力は誘発性または内在性のＣＮＳ組織剛性である、請求項１１に記載のシステム。
【請求項１４】
第１及び第２の可変入力は、両方とも、中大脳動脈（ＭＣＡ）から収集された音響データに由来する、請求項１１に記載のシステム。
【請求項１５】
第１及び第２の可変入力は、両方とも、頭部の血管から収集された音響データに由来する、請求項１１に記載のシステム。
【請求項１６】
前記データ取得コンポーネントは、１回使用型音源／デテクタ複合体を含み、該１回使用型音源／デテクタ複合体は、被験者の体表面に装着可能であり、かつ、少なくとも１つの音源エレメントと、少なくとも１つの音響デテクタ・エレメントとを有し、前記音源エレメントおよびデテクタ・エレメントの少なくとも１つは複数の音響トランスデューサで構成される音響アレイを含み、前記音源／デテクタ複合体は、手術中に前記音源およびデテクタ・エレメントと、被験者の体表面との間で高品位な音響伝達を提供するように配置された音響伝達材料を含む、請求項１に記載のシステム。
【請求項１７】
前記音響アレイはＰＶＤＦ音響アレイを含む、請求項１６に記載のシステム。
【請求項１８】
前記音響アレイは複数のＰＺＴ音響トランスデューサを含む、請求項１６に記載のシステム。
【請求項１９】
前記１回使用型音源／デテクタ・エレメント複合体は前記被験者の体表面への一時的装着を容易ならしめる粘着性接触材料を含む、請求項１６に記載のシステム。
【請求項２０】
前記粘着性接触材料は、露出しないよう着脱式カバーによって保護される、請求項１９に記載のシステム。